(57)【要約】    【課題】      宛先となるユーザが不在の場合に電話を取る前に発信者の伝言メッセージを録音すること。    【解決手段】  ＩＰ網１０６に接続されたＩＰ電話１０１（１０２）と、ＩＰ電話１０２（１０１）に割り当てられた電話番号に対応して設定された留守番電話機能を制御するための制御情報を登録するＷｅｂサーバ１０５と、Ｗｅｂサーバ１０５に登録された制御情報へのリンク情報がＵＲＩに指定されたＮＡＰＴＲリソースレコードを登録するＥＮＵＭサーバ１０３と、を備えるＩＰ電話システムにおいて、着信を受けたＩＰ電話１０２は、着信対象の電話番号に応じてＮＡＰＴＲリソースレコードをＥＮＵＭサーバ１０３に問い合わせ、返送されたＮＡＰＴＲリソースレコードに応じて着信対象の電話番号に対応する制御情報をＷｅｂサーバ１０５に要求し、返送された制御情報に応じて留守番電話機能を制御する。  【選択図】      図１
2006050270.tif 000002
【特許請求の範囲】
【請求項１】
ＩＰネットワークに接続されたＩＰ電話装置と、前記ＩＰ電話装置に割り当てられた電話番号に対応して設定された留守番電話機能を制御するための制御情報を登録し前記ＩＰ電話装置からの要求に応じて当該制御情報を応答するＷｅｂサーバと、前記Ｗｅｂサーバに登録された制御情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する制御情報を前記Ｗｅｂサーバに要求し、返送された制御情報に応じて留守番電話機能を制御することを特徴とするＩＰ電話システム。
【請求項２】
前記制御情報は、発信側からの伝言メッセージを録音するか否かを制御するための情報を含むことを特徴とする請求項１記載のＩＰ電話システム。
【請求項３】
前記制御情報は、録音された前記伝言メッセージを予め指定された宛先に転送するか否かを制御するための情報を含むことを特徴とする請求項２記載のＩＰ電話システム。
【請求項４】
前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する制御情報を前記Ｗｅｂサーバに要求することを特徴とする請求項１記載のＩＰ電話システム。
【請求項５】
前記着信を受けたＩＰ電話装置は、受信したＩＮＶＩＴＥメッセージの記述に基づいて前記着信対象の電話番号を取得することを特徴とする請求項１記載のＩＰ電話システム。
【請求項６】
ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードに応じて前記着信対象の電話番号に対応する制御情報を前記Ｗｅｂサーバに要求する要求手段と、返送された制御情報に応じて留守番電話機能を制御する制御手段と、を具備することを特徴とするＩＰ電話装置。
【請求項７】
前記制御情報は、発信側からの伝言メッセージを録音するか否かを制御するための情報を含むことを特徴とする請求項６記載のＩＰ電話装置。
【請求項８】
前記制御情報は、録音された前記伝言メッセージを予め指定された宛先に転送するか否かを制御するための情報を含むことを特徴とする請求項７記載のＩＰ電話装置。
【請求項９】
ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置を用いた伝言メッセージ録音方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する制御情報を前記Ｗｅｂサーバに要求し、返送された制御情報に応じて留守番電話機能を制御することを特徴とする伝言メッセージ録音方法。
【請求項１０】
前記制御情報は、発信側からの伝言メッセージを録音するか否かを制御するための情報を含むことを特徴とする請求項９記載の伝言メッセージ録音方法。
【請求項１１】
前記制御情報は、録音された前記伝言メッセージを予め指定された宛先に転送するか否かを制御するための情報を含むことを特徴とする請求項１０記載の伝言メッセージ録音方法。
【請求項１２】
自端末に割り当てられた電話番号に対応するＵＲＩ及び当該電話番号に対応して設定された留守番電話機能を制御するための制御情報を登録するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する制御情報に応じて留守番電話機能を制御することを特徴とするＩＰ電話システム。
【請求項１３】
前記制御情報は、発信側からの伝言メッセージを録音するか否かを制御するための情報を含むことを特徴とする請求項１２記載のＩＰ電話システム。
【請求項１４】
前記制御情報は、録音された前記伝言メッセージを予め指定された宛先に転送するか否かを制御するための情報を含むことを特徴とする請求項１３記載のＩＰ電話システム。
【請求項１５】
ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び当該電話番号に対応して設定された留守番電話機能を制御するための制御情報を登録するＩＰ電話装置を用いた伝言メッセージ録音方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する制御情報に応じて留守番電話機能を制御することを特徴とする伝言メッセージ録音方法。
【請求項１６】
前記制御情報は、発信側からの伝言メッセージを録音するか否かを制御するための情報を含むことを特徴とする請求項１５記載の伝言メッセージ録音方法。
【請求項１７】
前記制御情報は、録音された前記伝言メッセージを予め指定された宛先に転送するか否かを制御するための情報を含むことを特徴とする請求項１６記載の伝言メッセージ録音方法。
【発明の詳細な説明】
【技術分野】
【０００１】
本発明は、ＩＰ電話システム、ＩＰ電話装置及び伝言メッセージ録音方法に関する。
【背景技術】
【０００２】
近年、インターネットの急速な普及に伴い、遠隔地の電話装置と低料金での通話や登録会員の有するＩＰ電話装置間における無料通話が可能であるＩＰ電話システムが注目されている。このようなＩＰ電話システムにおいて、ユーザの利便性の向上を目的として着信時の画面表示や着信音を発信側から指定することができるＩＰ電話システムが提案されている（例えば、特許文献１参照）。
【０００３】
一方、現在、多様化する電話、ＦＡＸ、携帯電話や電子メールなどの通信手段に用いられる情報を効率的に管理し、使用環境に応じたコミュニケーションを可能とする技術として、ＥＮＵＭが注目されている。ＥＮＵＭは、Ｅ．１６４番号に代表される全世界で唯一の識別番号からＤＮＳ（Domain Name System）を用いてインターネット上のサービスを識別する仕組みである。現在、ＩＥＴＦにより標準化活動が行われており、当該活動においてプロトコル仕様が審議されている（例えば、非特許文献１参照）。
【特許文献１】特開２００３−１８８９９２号公報
【非特許文献１】ＥＮＵＭトライアルジャパン発行「ＥＮＵＭトライアルジャパン第一次報告書」、２００４年５月
【発明の開示】
【発明が解決しようとする課題】
【０００４】
しかしながら、上記従来のＩＰ電話システムにおいては、発信者に対応した着信時の画面表示や着信音などを発信側で指定することができるのみであり、着信側の使用環境等に応じた動作を指定することはできない。
【０００５】
一般に、家庭や企業内に設置されたＩＰ電話装置は、複数のユーザにより共用される。共用されるＩＰ電話装置においては、不在のユーザ宛てにかかってきた電話を取ったユーザは、不在のユーザのために発信者の伝言メッセージや連絡先をメモ用紙に記録する作業が必要となる。このような使用環境においては、宛先となるユーザが不在の場合には電話を取る前に発信者の伝言メッセージ等を録音することができれば、伝言メッセージ等をメモ用紙に記録する作業を省略することができ、ユーザの利便性が向上するといえる。
【０００６】
本発明は、このような実情に鑑みて為されたものであり、宛先となるユーザが不在の場合に電話を取る前に発信者の伝言メッセージを録音することができるＩＰ電話システム、ＩＰ電話装置及び伝言メッセージ録音方法を提供することを目的とする。
【課題を解決するための手段】
【０００７】
本発明は、ＩＰネットワークに接続されたＩＰ電話装置と、ＩＰ電話装置に割り当てられた電話番号に対応して設定された留守番電話機能を制御するための制御情報を登録するＷｅｂサーバと、Ｗｅｂサーバに登録された制御情報へのリンク情報がＵＲＩに指定されたＮＡＰＴＲリソースレコードを登録するＥＮＵＭサーバと、を備えるＩＰ電話システムにおいて、着信を受けたＩＰ電話装置は、着信対象の電話番号に応じてＮＡＰＴＲリソースレコードをＥＮＵＭサーバに問い合わせ、返送されたＮＡＰＴＲリソースレコードに応じて着信対象の電話番号に対応する制御情報をＷｅｂサーバに要求し、返送された制御情報に応じて留守番電話機能を制御するようにしたものである。
【発明の効果】
【０００８】
本発明に係るＩＰ電話システム、ＩＰ電話装置及び伝言メッセージ録音方法によれば、宛先となるユーザが不在の場合に電話を取る前に発信者の伝言メッセージを録音することができる。
【発明を実施するための最良の形態】
【０００９】
本発明の第１の態様に係るＩＰ電話システムは、ＩＰネットワークに接続されたＩＰ電話装置と、前記ＩＰ電話装置に割り当てられた電話番号に対応して設定された留守番電話機能を制御するための制御情報を登録し前記ＩＰ電話装置からの要求に応じて当該制御情報を応答するＷｅｂサーバと、前記Ｗｅｂサーバに登録された制御情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する制御情報を前記Ｗｅｂサーバに要求し、返送された制御情報に応じて留守番電話機能を制御する構成を採る。
【００１０】
この構成によれば、着信を受けたＩＰ電話装置において、着信対象の電話番号に応じた留守番電話機能を制御するための制御情報をＷｅｂサーバから取得し、その制御情報に応じて留守番電話機能を制御する。このため、その制御情報の内容に応じて、着信を受けたＩＰ電話装置のユーザが電話を取る前に発信者の伝言メッセージが録音されるので、不在のユーザのために発信者の伝言メッセージや連絡先をメモ用紙に記録する作業を省略することができる。
【００１１】
本発明の第２の態様は、第１の態様に係るＩＰ電話システムにおいて、前記制御情報は、発信側からの伝言メッセージを録音するか否かを制御するための情報を含む構成を採る。
【００１２】
この構成によれば、制御情報に発信側からの伝言メッセージを録音するか否かを制御するための情報が含まれるため、制御情報に応じて、着信を受けたＩＰ電話装置のユーザが電話を取る前に発信者の伝言メッセージを録音することが可能となる。
【００１３】
本発明の第３の態様は、第２の態様に係るＩＰ電話システムにおいて、前記制御情報は、録音された前記伝言メッセージを予め指定された宛先に転送するか否かを制御するための情報を含む構成を採る。
【００１４】
この構成によれば、制御情報に録音された伝言メッセージを予め指定された宛先に転送するか否かを制御するための情報が含まれるため、制御情報に応じて、着信を受けたＩＰ電話装置のユーザが電話を取る前に発信者の伝言メッセージを転送することが可能となる。
【００１５】
本発明の第４の態様は、第１の態様に係るＩＰ電話システムにおいて、前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する制御情報を前記Ｗｅｂサーバに要求する構成を採る。
【００１６】
この構成によれば、着信を受けたＩＰ電話からの要求に応じて、ｈｔｔｐプロトコルに従って留守番電話機能を制御するための制御情報がＷｅｂサーバから応答される。したがって、ｈｔｔｐプロトコルに従って通信制御を行うことで制御情報を取得することができる。
【００１７】
本発明の第５の態様は、第１の態様に係るＩＰ電話システムにおいて、前記着信を受けたＩＰ電話装置は、受信したＩＮＶＩＴＥメッセージの記述に基づいて前記着信対象の電話番号を取得する構成を採る。
【００１８】
この構成によれば、着信を受けたＩＰ電話は、受信したＩＮＶＩＴＥメッセージの記述に基づいて着信対象番号を取得する。このため、ＳＩＰプロトコルに従った通信制御を行う過程で着信対象番号を取得することができる。
【００１９】
本発明の第６の態様に係るＩＰ電話装置は、ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードに応じて前記着信対象の電話番号に対応する制御情報を前記Ｗｅｂサーバに要求する要求手段と、返送された制御情報に応じて留守番電話機能を制御する制御手段と、を具備する構成を採る。
【００２０】
この構成によれば、ＩＰネットワーク上の他のＩＰ電話装置から着信を受けると、着信側のＩＰ電話装置において、着信対象の電話番号に応じた留守番電話機能を制御するための制御情報をＷｅｂサーバから取得し、その制御情報に応じて留守番電話機能を制御する。このため、その制御情報の内容に応じて、着信を受けたＩＰ電話装置のユーザが電話を取る前に発信者の伝言メッセージが録音されるので、不在のユーザのために発信者の伝言メッセージや連絡先をメモ用紙に記録する作業を省略することができる。
【００２１】
本発明の第７の態様は、第６の態様に係るＩＰ電話装置において、前記制御情報は、発信側からの伝言メッセージを録音するか否かを制御するための情報を含む構成を採る。
【００２２】
この構成によれば、制御情報に発信側からの伝言メッセージを録音するか否かを制御するための情報が含まれるため、制御情報に応じて、着信を受けたＩＰ電話装置のユーザが電話を取る前に発信者の伝言メッセージを録音することが可能となる。
【００２３】
本発明の第８の態様は、第７の態様に係るＩＰ電話装置において、前記制御情報は、録音された前記伝言メッセージを予め指定された宛先に転送するか否かを制御するための情報を含む構成を採る。
【００２４】
この構成によれば、制御情報に録音された伝言メッセージを予め指定された宛先に転送するか否かを制御するための情報が含まれるため、制御情報に応じて、着信を受けたＩＰ電話装置のユーザが電話を取る前に発信者の伝言メッセージを転送することが可能となる。
【００２５】
本発明の第９の態様に係る伝言メッセージ録音方法は、ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置を用いた伝言メッセージ録音方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードに応じて前記着信対象の電話番号に対応する制御情報を前記Ｗｅｂサーバに要求し、返送された制御情報に応じて留守番電話機能を制御するものである。
【００２６】
本発明の第１０の態様は、第９の態様に係る伝言メッセージ録音方法において、前記制御情報は、発信側からの伝言メッセージを録音するか否かを制御するための情報を含むものである。
【００２７】
本発明の第１１の態様は、第１０の態様に係る伝言メッセージ録音方法において、前記制御情報は、録音された前記伝言メッセージを予め指定された宛先に転送するか否かを制御するための情報を含むものである。
【００２８】
本発明の第１２の態様に係るＩＰ電話システムは、自端末に割り当てられた電話番号に対応するＵＲＩ及び当該電話番号に対応して設定された留守番電話機能を制御するための制御情報を登録するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する制御情報に応じて留守番電話機能を制御する構成を採る。
【００２９】
この構成によれば、着信を受けたＩＰ電話装置において、着信対象の電話番号に応じた留守番電話機能を制御するための制御情報に応じて留守番電話機能を制御する。このため、その制御情報の内容に応じて、着信を受けたＩＰ電話装置のユーザが電話を取る前に発信者の伝言メッセージが録音されるので、不在のユーザのために発信者の伝言メッセージや連絡先をメモ用紙に記録する作業を省略することができる。
【００３０】
本発明の第１３の態様は、第１２の態様に係るＩＰ電話システムにおいて、前記制御情報は、発信側からの伝言メッセージを録音するか否かを制御するための情報を含む構成を採る。
【００３１】
この構成によれば、制御情報に発信側からの伝言メッセージを録音するか否かを制御するための情報が含まれるため、制御情報に応じて、着信を受けたＩＰ電話装置のユーザが電話を取る前に発信者の伝言メッセージを録音することが可能となる。
【００３２】
本発明の第１４の態様は、第１３の態様に係るＩＰ電話システムにおいて、前記制御情報は、録音された前記伝言メッセージを予め指定された宛先に転送するか否かを制御するための情報を含む構成を採る。
【００３３】
この構成によれば、制御情報に録音された伝言メッセージを予め指定された宛先に転送するか否かを制御するための情報が含まれるため、制御情報に応じて、着信を受けたＩＰ電話装置のユーザが電話を取る前に発信者の伝言メッセージを転送することが可能となる。
【００３４】
本発明の第１５の態様に係る伝言メッセージ録音方法は、ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び当該電話番号に対応して設定された留守番電話機能を制御するための制御情報を登録するＩＰ電話装置を用いた伝言メッセージ録音方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する制御情報に応じて留守番電話機能を制御するものである。
【００３５】
本発明の第１６の態様は、第１５の態様に係る伝言メッセージ録音方法において、前記制御情報は、発信側からの伝言メッセージを録音するか否かを制御するための情報を含むものである。
【００３６】
本発明の第１７の態様は、第１６の態様に係る伝言メッセージ録音方法において、前記制御情報は、録音された前記伝言メッセージを予め指定された宛先に転送するか否かを制御するための情報を含むものである。
【００３７】
以下、本発明の実施の形態について図面を参照して詳細に説明する。
【００３８】
図１は、本発明の一実施の形態に係るＩＰ電話システムが適用されるネットワークの構成を示す図である。
【００３９】
同図に示すように、実施の形態に係るＩＰ電話システムにおいては、複数台のＩＰ電話装置（以下、「ＩＰ電話」という）１０１及び１０２、ＥＮＵＭサーバ１０３、ＤＮＳサーバ１０４及びＷｅｂサーバ１０５がＩＰ網１０６を介して接続されている。なお、同図の構成に限らず、ＩＰ網１０６上に３台以上のＩＰ電話を接続してＩＰ電話システムを構成してもよい。
【００４０】
ＩＰ電話１０１（１０２）は、ＩＰ網１０６を介して他のＩＰ電話との間で音声通話が可能な機能を有している。また、ｈｔｔｐプロトコルに従ってＷｅｂサーバ１０５にアクセスし、Ｗｅｂサーバ１０５が提供するＨＴＭＬ文書を閲覧可能なブラウザ機能を有している。
【００４１】
特に、ＩＰ電話１０２は、複数のユーザにより共用されるものとする。また、ＩＰ電話１０２には、各ユーザに対応する電話番号が割り当てられているものとする。以下においては、ＩＰ電話１０２が２人のユーザに共用される場合について説明する。
【００４２】
ＥＮＵＭサーバ１０３は、後述するＮＡＰＴＲリソースレコード（以下、「ＮＡＰＴＲレコード」という）を登録するデータベース（ＤＢ）を備える。ＥＮＵＭサーバ１０３は、ＩＰ電話１０１（１０２）からの問合せに応じて、かかるＤＢに登録されたＮＡＰＴＲレコードをＩＰ電話１０１（１０２）に返送する。
【００４３】
ＤＮＳサーバ１０４は、ＮＡＰＴＲレコードに指定されるＵＲＩとＩＰアドレスとが対応付けて登録されるＤＢを備える。ＤＮＳサーバ１０４は、ＩＰ電話１０１（１０２）の問合せに応じて、かかるＤＢに登録されたＩＰアドレスをＩＰ電話１０１（１０２）に返送する。
【００４４】
Ｗｅｂサーバ１０５は、ＩＰ電話１０１（１０２）に割り当てられた各電話番号に対応して設定される留守番電話機能を制御するための情報（以下、「留守電制御情報」という）が登録されるＤＢを備える。留守電制御情報は、留守番電話機能における録音機能（以下、「留守録機能」という）のＯＮ／ＯＦＦ情報、留守録機能により録音した伝言メッセージの電子メールによる転送機能（以下、「メール転送機能」という）のＯＮ／ＯＦＦ情報及びメール転送機能に用いられる転送先メールアドレス（以下、「転送先アドレス」という）で構成される。なお、留守電制御情報の詳細については後述する。
【００４５】
ＤＢに登録される留守電制御情報は、例えば、ＩＰ電話１０１（１０２）のユーザによりＩＰ網１０６を介して登録される。より具体的には、ＩＰ電話１０１（１０２）のユーザの不在状況に応じて留守電制御情報が更新される。なお、ユーザの申請に応じてＩＰ電話サービスの管理者が登録するようにしてもよい。Ｗｅｂサーバ１０５は、着信を受けたＩＰ電話１０１（１０２）からの要求に応じてＤＢに登録された留守電制御情報をＩＰ電話１０１（１０２）に返送する。
【００４６】
図２は、本実施の形態に係るＩＰ電話１０２の構成を示すブロック図である。なお、ＩＰ電話１０１についても、ＩＰ電話１０２と同様の構成を有する。
【００４７】
同図に示すＩＰ電話１０２は、装置全体の制御を行うＩＰ電話制御部２０１を備える。このＩＰ電話制御部２０１にバス２０２を介してＲＯＭ２０３、ＲＡＭ２０４及びＦＲＯＭ２０５が接続されている。また、ＩＰ電話制御部２０１にバス２０２を介して音声入出力部２０６、ＣＯＤＥＣ部２０７及び外部インターフェース（Ｉ／Ｆ）部２０８が接続されている。
【００４８】
ＩＰ電話制御部２０１は、ＲＯＭ２０３に格納された制御プログラムを実行することで、以下に示す制御を実行する。その際、ＩＰ電話制御部２０１は、ＲＡＭ２０４をワークエリアとして利用する。
【００４９】
ＩＰ電話制御部２０１は、ＩＰ網１０６を介して音声通話を行う際に必要となる全ての制御を実行する。例えば、ＩＰ電話制御部２０１は、ＳＩＰやＨ．３２３に代表される呼制御プロトコルに従って、宛先端末との間の呼制御を実行する。
【００５０】
また、ＩＰ電話制御部２０１は、ＥＮＵＭサーバ１０３へ宛先端末に対応するＮＡＰＴＲレコードを問い合わせる処理やこの問合せに対する応答の受信処理の制御、並びに、ＤＮＳサーバ１０４へＩＰアドレスを問い合わせる処理やこの問合せに対する応答の受信処理の制御を実行する。
【００５１】
さらに、ＩＰ電話制御部２０１は、Ｗｅｂサーバ１０５へのアクセス制御及びＷｅｂサーバ１０５が提供するＨＴＭＬ文書の閲覧制御を行う。
【００５２】
さらに、ＩＰ電話制御部２０１は、留守番電話機能及びメール転送機能を実行するために必要となる制御を実行する。例えば、ＩＰ電話制御部２０１は、発信者からの伝言メッセージを録音する制御や録音した伝言メッセージをボイスメール（音声メール）として転送先アドレスに送出する制御を実行する。なお、録音された伝言メッセージは一時的にＦＲＯＭ２０５に格納される。
【００５３】
ＦＲＯＭ２０５は、本装置から発呼する場合に宛先を指定する際に用いられるアドレス帳データを格納する。また、上述のように、留守録機能により録音された伝言メッセージを一時的に格納する。さらに、複数の電話番号が割り当てられている場合に各電話番号と対応するＵＲＩが登録されたテーブルを格納する。
【００５４】
図３は、ＦＲＯＭ２０５に格納されるテーブルの一例を示す図である。同図においては、ＩＰ電話１０２に２つの電話番号が割り当てられた場合の一例について示している。同図に示すテーブルにおいては、電話番号「０５０１２３４１１１１」に対応してＵＲＩ「ｔａｒｏ＠ｔｏｋｙｏ．ｓｉｐ．ｊｐ」が登録されている。同様に、電話番号「０５０１２３４２２２２」に対応してＵＲＩ「ｈａｎａｋｏ＠ｔｏｋｙｏ．ｓｉｐ．ｊｐ」が登録されている。
【００５５】
音声入出力部２０６は、ＩＰ電話１０２のユーザからの音声を受け付けると共に、ユーザに対する音声を出力する。音声入出力部２０６においては、音声入力部がハンドセットマイクで構成され、音声出力部がスピーカで構成される。
【００５６】
ＣＯＤＥＣ部２０７は、音声入出力部２０６から入力されるアナログデータをデジタルデータに変換する処理を行う一方、ＩＰ網１０６から入力されるデジタルデータをアナログデータに変換する処理を行う。また、ＣＯＤＥＣ部２０７は、音声データの符号化及び圧縮伸長処理を行う。
【００５７】
外部Ｉ／Ｆ部２０８は、ＩＰ電話１０２が接続されるＩＰ網１０６とのインターフェースとして機能する。
【００５８】
図４は、本実施の形態に係るＩＰ電話１０２の外観を示す正面図である。なお、ＩＰ電話１０１についても、ＩＰ電話１０２と同様の構成を有する。
【００５９】
同図に示すように、ＩＰ電話１０２は、ユーザの音声を受け付ける受話器４０１を備えている。また、電話番号等を受け付けるテンキー４０２を備えている。さらに、テンキー４０２の右側に留守番電話に切り替える留守キー４０３及び音声を外部出力に切り替えるスピーカキー４０４を備えている。
【００６０】
テンキー４０２の上側にワンタッチで発信可能なワンタッチ機能に代表される各種機能が設定可能なファンクションキー４０５を備えている。ファンクションキー４０５の上側に、液晶ディスプレイ等で構成される表示部４０６が設けられている。表示部４０６には、例えば、本装置の現在の状態や宛先情報などが表示される。
【００６１】
図５は、本実施の形態に係るＩＰ電話システムにおけるＥＮＵＭサーバ１０３の代表的な構成を示すブロック図である。なお、本実施の形態に係るＩＰ電話システムにおけるＤＮＳサーバ１０４やＷｅｂサーバ１０５についても、ＤＢに登録されるデータの内容を除き、同様の構成を有する。
【００６２】
同図に示すように、ＥＮＵＭサーバ１０３は、サーバ本体の全体を制御するＣＰＵ５０１を備えている。このＣＰＵ５０１にメモリ５０２が接続されている。メモリ５０２は、ＣＰＵ５０１が読み込んで実行する本ＥＮＵＭサーバ１０３の制御プログラムが格納されるＲＯＭとしての機能と、ＣＰＵ５０１が制御プログラムを実行する際のワークメモリとして機能するＲＡＭとしての機能とを備える。
【００６３】
また、ＣＰＵ５０１にデータベース（ＤＢ）５０３が接続されている。ＤＢ５０３は、後述するＮＡＰＴＲレコードを登録している。ＣＰＵ５０１は、例えば、ＩＰ電話１０１からＮＡＰＴＲレコードの問合せを受け付けると、ＤＢ５０３に登録されたデータから該当するＮＡＰＴＲレコードを検索してＩＰ電話１０１に返送する。
【００６４】
さらに、ＣＰＵ５０１に入出力装置５０４が接続されている。入出力装置５０４は、例えば、キーボード等の入力装置と、ディスプレイ等の出力装置とから構成される。入力装置は、例えば、ＤＢ５０３に登録されるデータの内容を追加、編集する場合に利用される。出力装置は、例えば、ＤＢ５０３に登録されるデータの内容をＥＮＵＭサーバ１０３の管理者等が確認する場合に利用される。
【００６５】
さらに、ＣＰＵ５０１にネットワークインターフェース（Ｉ／Ｆ）５０５が接続されている。ネットワークＩ／Ｆ５０５は、本ＥＮＵＭサーバ１０３が接続されるＩＰ網１０６とのインターフェースである。
【００６６】
図６は、本実施の形態に係るＥＮＵＭサーバ１０３のＤＢ５０３に登録されたＮＡＰＴＲレコードの一例を示す図である。同図においては、電話番号「０５０１２３４１１１１」及び「０５０１２３４２２２２」から得られるドメイン名に対応するＮＡＰＴＲレコードが登録された場合について示している。
【００６７】
同図においては、電話番号「０５０１２３４１１１１」から得られるドメイン名「１．１．１．１．４．３．２．１．０．５．１．８．ｅ１６４．ａｒｐａ」に対してＵＲＩ「ｔａｒｏ＠ｔｏｋｙｏ．ｓｉｐ．ｊｐ」及び「／／ｗｗｗ．ｔｏｋｙｏ．ｓｉｐ．ｃｏｍ／ｕｓｅｒｔａｒｏ．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【００６８】
また、電話番号「０５０１２３４２２２２」から得られるドメイン名「２．２．２．２．４．３．２．１．０．５．１．８．ｅ１６４．ａｒｐａ」に対してＵＲＩ「ｈａｎａｋｏ＠ｔｏｋｙｏ．ｓｉｐ．ｊｐ」及び「／／ｗｗｗ．ｔｏｋｙｏ．ｓｉｐ．ｃｏｍ／ｕｓｅｒｈａｎａｋｏ．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【００６９】
図７は、本実施の形態に係るＤＮＳサーバ１０４のＤＢに登録されたデータの一例を示す図である。
【００７０】
同図においては、ＵＲＩ「ｔａｒｏ＠ｔｏｋｙｏ．ｓｉｐ．ｊｐ」、「ｈａｎａｋｏ＠ｔｏｋｙｏ．ｓｉｐ．ｊｐ」、「ｊｉｒｏ＠ｔｏｋｙｏ．ｓｉｐ．ｊｐ」及び「ｙｏｓｈｉｋｏ＠ｔｏｋｙｏ．ｓｉｐ．ｊｐ」に対応するＩＰアドレスが登録されている場合について示している。具体的には、ＵＲＩ「ｔａｒｏ＠ｔｏｋｙｏ．ｓｉｐ．ｊｐ」、「ｈａｎａｋｏ＠ｔｏｋｙｏ．ｓｉｐ．ｊｐ」、「ｊｉｒｏ＠ｔｏｋｙｏ．ｓｉｐ．ｊｐ」及び「ｙｏｓｈｉｋｏ＠ｔｏｋｙｏ．ｓｉｐ．ｊｐ」にそれぞれＩＰアドレス「１９２．１６８．１．１」、「１９２．１６８．１．２」、「１９２．１６８．１．３」及び「１９２．１６８．１．４」が対応付けられている。
【００７１】
図８は、本実施の形態に係るＷｅｂサーバ１０５のＤＢに登録されたデータの一例を示す図である。なお、実際には同図に示す内容が例えば、ＨＴＭＬ（Hypertext Markup Language）を用いて記述されている。
【００７２】
同図においては、ＵＲＬ（ＵＲＩ）「／／ｗｗｗ．ｔｏｋｙｏ．ｓｉｐ．ｃｏｍ／ｕｓｅｒｔａｒｏ．ｈｔｍｌ」及び「／／ｗｗｗ．ｔｏｋｙｏ．ｓｉｐ．ｃｏｍ／ｕｓｅｒｈａｎａｋｏ．ｈｔｍｌ」に対応する電話番号、ユーザ名、留守録機能のＯＮ／ＯＦＦ情報、メール転送機能のＯＮ／ＯＦＦ情報及び転送先アドレスが登録されている場合について示している。具体的には、ＵＲＬ（ＵＲＩ）「／／ｗｗｗ．ｔｏｋｙｏ．ｓｉｐ．ｃｏｍ／ｕｓｅｒｔａｒｏ．ｈｔｍｌ」に対応して電話番号「０５０１２３４１１１１」、ユーザ名「ｔａｒｏ」、留守録機能「ＯＮ」、メール転送機能「ＯＮ」及び転送先アドレス「ｔａｒｏ＠ｐｃｌ．ｅｘａｍｐｌｅ．ｃｏｍ」が登録されている。同様に、ＵＲＬ（ＵＲＩ）「／／ｗｗｗ．ｔｏｋｙｏ．ｓｉｐ．ｃｏｍ／ｕｓｅｒｈａｎａｋｏ．ｈｔｍｌ」に対応して電話番号「０５０１２３４２２２２」、ユーザ名「ｈａｎａｋｏ」、留守録機能「ＯＦＦ」、メール転送機能「ＯＦＦ」及び転送先アドレス「ｈａｎａｋｏ＠ｐｃｌ．ｅｘａｍｐｌｅ．ｃｏｍ」が登録されている。
【００７３】
次に、本実施の形態に係るＩＰ電話システムにおいて、ＩＰ電話１０１がＩＰ電話１０２に対して発呼する場合の動作について、図９に示すシーケンス図を用いて説明する。
【００７４】
なお、かかる動作を説明する前提として、ＥＮＵＭサーバ１０３のＤＢ５０３には図６に示すＮＡＰＴＲレコードが登録され、ＤＮＳサーバ１０４のＤＢには図７に示すデータが登録され、Ｗｅｂサーバ１０５のＤＢには図８に示すデータが登録されているものとする。また、ＩＰ電話１０２には、電話番号として「０５０１２３４１１１１」及び「０５０１２３４２２２２」が割り当てられているものとする。
【００７５】
ＩＰ電話１０２に発呼する場合、まず、ＩＰ電話１０１は、ユーザからＩＰ電話１０２に割り当てられた電話番号のうち、いずれかの電話番号の入力を受け付ける。ここでは、ＩＰ電話１０２のうち、「０５０１２３４１１１１」の入力を受け付けたものとする。電話番号の入力を受け付けると、ＩＰ電話１０１は、この電話番号に対応するＮＡＰＴＲレコードをＥＮＵＭサーバ１０３に対して問い合わせる（ＳＴ９０１）。以下、適宜、このＮＡＰＴＲレコードの問合せを「ＮＡＰＴＲ問合せ」という。
【００７６】
この場合、ＩＰ電話１０１は、まず、オペレータが入力した「０５０１２３４１１１１」を国番号付きのＥ．１６４番号である「＋８１−５−０１２３４１１１１」に変換し、先頭の＋と数字を残して「＋８１５０１２３４１１１１」とする。そして、数字以外の文字を抹消して数字間にドットを挿入して「８．１．５．０．１．２．３．４．１．１．１．１」とする。次に、数字を逆順にして最後に文字列．ｅ１６４．ａｒｐａを追加する。これにより、ドメイン名である「１．１．１．１．４．３．２．１．０．５．１．８．ｅ１６４．ａｒｐａ」を得て、この文字列に対応するＮＡＰＴＲレコードを問い合わせる。
【００７７】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０１に返送する（ＳＴ９０２）。以下、適宜、このＮＡＰＴＲレコードを含む応答を「ＮＡＰＴＲ応答」という。この場合、ＥＮＵＭサーバ１０３は、図６に示すＮＡＰＴＲレコードのうち、上側のＮＡＰＴＲレコードを検索し、当該ＮＡＰＴＲレコードを含む応答をＩＰ電話１０１に返信する。
【００７８】
ＮＡＰＴＲ応答を受け付けると、ＩＰ電話１０１は、ＳＩＰプロトコルに対応可能である旨を示すＮＡＰＴＲレコードに指定されたＵＲＩ「ｔａｒｏ＠ｔｏｋｙｏ．ｓｉｐ．ｊｐ」に対応するＩＰアドレスをＤＮＳサーバ１０４に問い合わせる（ＳＴ９０３）。以下、適宜、このＩＰアドレスの問合せを「ＩＰアドレス問合せ」という。
【００７９】
ＩＰアドレス問合せを受け付けると、ＤＮＳサーバ１０４は、当該ＵＲＩに対応するＩＰアドレスを検索し、当該ＩＰアドレスを含むＩＰアドレス応答をＩＰ電話１０１に返信する（ＳＴ９０４）。この場合、ＤＮＳサーバ１０４は、図７に示す第１番目のＩＰアドレス「１９２．１６８．１．１」を検索し、当該ＩＰアドレスを含む応答をＩＰ電話１０１に返信する。以下、適宜、このＩＰアドレスの含む応答を「ＩＰアドレス応答」という。
【００８０】
ＩＰアドレス応答を受け付けると、ＩＰ電話１０１は、ＩＰ電話１０２の電話番号のうち、ユーザから指定された電話番号に割り当てられたＩＰアドレスを認識する。そして、ＩＰ電話１０１は、そのＩＰアドレスに対して「ＩＮＶＩＴＥ」メッセージを送出する（ＳＴ９０５）。
【００８１】
ここで、ＩＰ電話１０１からＩＰ電話１０２に送出される「ＩＮＶＩＴＥ」メッセージの内容の一例について説明する。
【００８２】
図１０は、ＩＰ電話１０１からＩＰ電話１０２に送出される「ＩＮＶＩＴＥ」メッセージの内容の一例について示す図である。
【００８３】
同図に示すように、「ＩＮＶＩＴＥ」メッセージは、第３行目に示すようにＦｒｏｍヘッダを含む一方、第４行目に示すようにＴｏヘッダを含んでいる。Ｆｒｏｍヘッダには、発信元であるＩＰ電話１０１の電話番号に対応するＵＲＩ「ｊｉｒｏ＠ｔｏｋｙｏ．ｓｉｐ．ｊｐ」が記述されている。また、Ｔｏヘッダには、発信先であるＩＰ電話１０２の電話番号に対応するＵＲＩ「ｔａｒｏ＠ｔｏｋｙｏ．ｓｉｐ．ｊｐ」が記述されている。なお、Ｆｒｏｍヘッダ及びＴｏヘッダに記述される内容は、特に同図に示す内容に限定されない。
【００８４】
ＩＰ電話１０１から「ＩＮＶＩＴＥ」メッセージを受信すると、ＩＰ電話１０２は、Ｔｏヘッダに指定されたＵＲＩから発信先の電話番号として指定された電話番号（以下、「着信対象番号」という）を取得する。具体的には、Ｔｏヘッダに指定されたＵＲＩに応じてＦＲＯＭ２０５に格納されたテーブル上の電話番号を検索することで、着信対象番号を取得する。ここでは、Ｔｏヘッダに指定されたＵＲＩ「ｔａｒｏ＠ｔｏｋｙｏ．ｓｉｐ．ｊｐ」に応じて電話番号「０５０１２３４１１１１」が着信対象番号として取得される。
【００８５】
そして、ＩＰ電話１０２は、電話番号の入力を受けたＩＰ電話１０１と同様の要領で、この着信対象番号に対応するＮＡＰＴＲレコードをＥＮＵＭサーバ１０３に対して問い合わせる（ＳＴ９０６）。すなわち、ＩＰ電話１０２は、まず、「ＩＮＶＩＴＥ」メッセージに基づいて取得した「０５０１２３４１１１１」を国番号付きのＥ．１６４番号である「＋８１−５−０１２３４１１１１」に変換し、先頭の＋と数字を残して「＋８１５０１２３４１１１１」とする。そして、数字以外の文字を抹消して数字間にドットを挿入して「８．１．５．０．１．２．３．４．１．１．１．１」とする。次に、数字を逆順にして最後に文字列．ｅ１６４．ａｒｐａを追加する。これにより、ドメイン名である「１．１．１．１．４．３．２．１．０．５．１．８．ｅ１６４．ａｒｐａ」を得て、この文字列に対応するＮＡＰＴＲレコードを問い合わせる。
【００８６】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０２に返信する（ＳＴ９０７）。この場合、ＥＮＵＭサーバ１０３は、ＳＴ９０２における処理と同様に、図６に示すＮＡＰＴＲレコードのうち、上側のＮＡＰＴＲレコードを検索し、当該ＮＡＰＴＲレコードを含むＮＡＰＴＲ応答をＩＰ電話１０２に返信する。
【００８７】
ＮＡＰＴＲ応答を受け付けると、ＩＰ電話１０２は、ｈｔｔｐプロトコルに対応可能である旨を示すＮＡＰＴＲレコードに指定されたＵＲＩ「／／ｗｗｗ．ｔｏｋｙｏ．ｓｉｐ．ｃｏｍ／ｕｓｅｒｔａｒｏ．ｈｔｍｌ」に基づいてＷｅｂサーバ１０５にアクセスし、留守電制御情報を要求する（ＳＴ９０８）。
【００８８】
この留守電制御情報の要求を受けると、Ｗｅｂサーバ１０５において、対応する留守電制御情報が検索され、その留守電制御情報がＩＰ電話１０２に返送される（ＳＴ９０９）。この場合、Ｗｅｂサーバ１０５は、図８に示すデータのうち、留守電制御情報として、留守録機能「ＯＮ」、メール転送機能「ＯＮ」及び転送先アドレス「ｔａｒｏ＠ｐｃｌ．ｅｘａｍｐｌｅ．ｃｏｍ」を返送する。
【００８９】
留守電制御情報を取得すると、ＩＰ電話１０２は、取得した留守電制御情報を自端末に設定する処理（以下、「留守電設定処理」という）を行う（ＳＴ９１０）。このとき、ＩＰ電話１０２においては、留守録機能「ＯＮ」、メール転送機能「ＯＮ」及び転送先アドレス「ｔａｒｏ＠ｐｃｌ．ｅｘａｍｐｌｅ．ｃｏｍ」であるため、発信者の伝言メッセージを録音し、録音した伝言メッセージを「ｔａｒｏ＠ｐｃｌ．ｅｘａｍｐｌｅ．ｃｏｍ」に転送するように設定される。
【００９０】
そして、留守電設定処理を行った後、ＩＰ電話１０２において呼び出し音が鳴動する。この呼び出し音の鳴動に並行してＩＰ電話１０２からＩＰ電話１０１に対して「１８０Ｒｉｎｇｉｎｇ」メッセージが送出される（ＳＴ９１１）。
【００９１】
「１８０Ｒｉｎｇｉｎｇ」メッセージを送出している間にＩＰ電話１０２でオフフックが検出されると、ＩＰ電話１０２からＩＰ電話１０１に対して接続許可を示す「２００ＯＫ」メッセージが送出される（ＳＴ９１２）。なお、留守録機能が「ＯＮ」状態の場合には、ＩＰ電話１０２は、自動的にオフフックを行うようになっている。このため、宛先となるユーザが不在の場合においても、本シーケンスに従って処理が進むようになっている。
【００９２】
「２００ＯＫ」メッセージを受信すると、ＩＰ電話１０１からＩＰ電話１０２に対して「ＡＣＫ」メッセージが送出される（ＳＴ９１３）。そして、この「ＡＣＫ」メッセージをＩＰ電話１０２が受信すると、ＩＰ電話１０１とＩＰ電話１０２との間で通話可能状態となる。
【００９３】
ここでは、留守録機能が「ＯＮ」状態に設定されているので、ＩＰ電話１０１から出力された音声は、伝言メッセージとしてＦＲＯＭ２０５に格納される。また、メール転送機能が「ＯＮ」状態に設定されているので、伝言メッセージが格納されると、指定された転送先アドレスに電子メールで当該伝言メッセージを転送するメール転送処理が行われる（ＳＴ９１４）。このようにしてＩＰ電話１０１がＩＰ電話１０２に対して発呼する場合の動作が行われる。
【００９４】
図１１は、図９に示すシーケンスにおける着信側のＩＰ電話１０２の動作を説明するためのフロー図である。
【００９５】
ＩＰ電話１０２は、待機状態において、ＩＰ網１０６を介した「ＩＮＶＩＴＥ」メッセージの受信を監視している（ＳＴ１１０１）。そして、「ＩＮＶＩＴＥ」メッセージを受信した場合には、上述の要領により「ＩＮＶＩＴＥ」メッセージのＴｏヘッダの記述から着信対象番号を取得する（ＳＴ１１０２）。
【００９６】
そして、着信対象番号を取得したならば、ＩＰ電話１０２は、この着信対象番号に対応するＮＡＰＴＲレコードをＥＮＵＭサーバ１０３に対して問い合わせる（ＳＴ１１０３）。この問合せに応じてＥＮＵＭサーバ１０３からＮＡＰＴＲ応答が返送されてくるので、ＩＰ電話１０２は、このＮＡＰＴＲ応答を受信する（ＳＴ１１０４）。
【００９７】
ＮＡＰＴＲ応答を受信すると、ＩＰ電話１０２は、このＮＡＰＴＲ応答に含まれるＮＡＰＴＲレコードのうち、ｈｔｔｐプロトコルに対応可能である旨を示すＮＡＰＴＲレコードに指定されたＵＲＩ（ＵＲＬ）に基づいてＷｅｂサーバ１０５にアクセスし、留守電制御情報を要求する（ＳＴ１１０５）。この要求に応じてＷｅｂサーバ１０５から留守電制御情報が返送されてくるので、ＩＰ電話１０２は、この留守電制御情報を受信する。これにより、ＩＰ電話１０２は、留守電制御情報を取得する（ＳＴ１１０６）。
【００９８】
留守電制御情報を取得した後、ＩＰ電話１０２は、留守電設定処理を行う（ＳＴ１１０７）。そして、留守電設定処理を行った後、呼び出し音を鳴動する（ＳＴ１１０８）。呼び出し音を鳴動すると共に、ＩＰ電話１０２は、「１８０Ｒｉｎｇｉｎｇ」メッセージを送出している。
【００９９】
「１８０Ｒｉｎｇｉｎｇ」メッセージを送出した後、ＩＰ電話１０２は、ＳＴ１１０７で行った留守電設定処理における留守録機能が「ＯＮ」状態であるか判断する（ＳＴ１１０９）。ここでは、留守録機能が「ＯＮ」状態であるものとする。この場合、ＩＰ電話１０２は、自動的にオフフックを行う（ＳＴ１１１０）。このオフフックに伴い、ＩＰ電話１０２は、発信側のＩＰ電話１０１に対して接続許可を示す「２００ＯＫ」メッセージを送出する。そして、この「２００ＯＫ」に応じてＩＰ電話１０１から送出される「ＡＣＫ」メッセージを受け取ると、通話可能状態となる。そして、かかる状態において、発信者からの伝言メッセージを録音する（ＳＴ１１１１）。
【０１００】
伝言メッセージの録音を終えたならば、ＩＰ電話１０２は、今度はＳＴ１１０７で行った留守電設定処理におけるメール転送機能が「ＯＮ」状態であるか判断する（ＳＴ１１１２）。メール転送機能が「ＯＮ」状態の場合には、ＩＰ電話１０２は、ＳＴ１１０７で行った留守電設定処理における転送先アドレスに伝言メッセージを転送し（ＳＴ１１１３）、処理を終了する。一方、メール転送機能が「ＯＦＦ」状態の場合には、ＳＴ１１１３の処理をスキップし、処理を終了する。
【０１０１】
ＳＴ１１０９において、留守録機能が「ＯＦＦ」状態である場合には、ＩＰ電話１０２は、ユーザからオフフックを受け付けたかを判断する（ＳＴ１１１４）。なお、オフフックを受け付けるまではＳＴ１１１４の処理を継続する。
【０１０２】
オフフックを受け付けた場合には、ＩＰ電話１０２は、発信側のＩＰ電話１０１に対して接続許可を示す「２００ＯＫ」メッセージを送出する。そして、この「２００ＯＫ」に応じてＩＰ電話１０１から送出される「ＡＣＫ」メッセージを受け取ると、ＩＰ電話１０２は、通話処理を行う（ＳＴ１１１５）。
【０１０３】
通話処理においては、ＩＰ電話１０１から送出される音声データの出力を行うと共に、ＩＰ電話１０２は、ユーザからオンフックを受け付けたか判断する（ＳＴ１１１６）。そして、オンフックを受け付けたならば、ＩＰ電話１０２は、通話処理を終了する。なお、オンフックを受け付けるまではＳＴ１１１６の処理を継続する。このようにしてＩＰ電話１０１から発呼を受けた場合のＩＰ電話１０２の動作が行われる。
【０１０４】
このように本実施の形態に係るＩＰ電話システムによれば、着信側のＩＰ電話１０２に複数の電話番号を割り当てておき、発信側のＩＰ電話１０１から電話番号を指定して発信する。そして、この電話番号に対応するＮＡＰＴＲ応答を受信した後、「ＩＮＶＩＴＥ」メッセージを着信側のＩＰ電話１０２に送出する。着信側のＩＰ電話１０２においては、この「ＩＮＶＩＴＥ」メッセージから着信対象番号を取得する。そして、この着信対象番号に対応するＮＡＰＴＲ応答を受信した後、Ｗｅｂサーバ１０５に対して留守電制御情報を要求する。留守電制御情報が返送されたならば、留守電設定処理を行い、その留守電制御情報の内容に応じて発信者の伝言メッセージの録音、並びに、録音した伝言メッセージの転送を行う。これにより、着信側のＩＰ電話１０２において、発信側のＩＰ電話１０１で指定された電話番号に応じて発信者の伝言メッセージの録音等が行われる。このため、ＩＰ電話１０２のユーザが電話を取る前に発信者の伝言メッセージが録音されるので、不在のユーザのために発信者の伝言メッセージや連絡先をメモ用紙に記録する作業を省略することができる。
【０１０５】
特に、本実施の形態に係るＩＰ電話システムにおいては、留守電制御情報に、発信者の伝言メッセージを録音するか否かを制御するための情報（留守録機能）が含まれるため、留守電制御情報の内容に応じて着信側のＩＰ電話１０２のユーザが電話を取る前に発信者の伝言メッセージを録音することが可能となる。同様に、留守電制御情報に、録音された伝言メッセージを予め指定された宛先に転送するか否かを制御するための情報（メール転送機能）が含まれるため、留守電制御情報に応じて、着信側のＩＰ電話１０２のユーザが電話を取る前に発信者の伝言メッセージを転送することが可能となる。
【０１０６】
また、本実施の形態に係るＩＰ電話システムにおいては、着信側のＩＰ電話１０２からの要求に応じて、ｈｔｔｐプロトコルに従って留守電制御情報がＷｅｂサーバ１０５から応答される。したがって、ｈｔｔｐプロトコルに従って通信制御を行うことで留守電制御情報を取得することができる。
【０１０７】
さらに、本実施の形態に係るＩＰ電話システムにおいては、着信側のＩＰ電話１０２は、受信した「ＩＮＶＩＴＥ」メッセージの記述に基づいて着信対象番号を取得する。具体的には、「ＩＮＶＩＴＥ」メッセージに記述されたＵＲＩに対応する電話番号を着信対象番号として取得する。このため、ＳＩＰプロトコルに従った通信制御を行う過程で着信対象番号を取得することができる。
【０１０８】
なお、本実施の形態においては、ＩＰ網１０６上にＤＮＳサーバ１０４を設け、発信側のＩＰ電話がＤＮＳサーバ１０４にＩＰアドレスを問い合わせ、返送されたＩＰアドレスに「ＩＮＶＩＴＥ」メッセージを送出する場合について示している。しかし、これに限定されず、ＩＰ網１０６上にＳＩＰサーバとして機能するＣＡ（Call Agent）を設け、宛先端末の電話番号を指定して「ＩＮＶＩＴＥ」メッセージを送出するようにしてもよい。
【０１０９】
また、本実施の形態においては、「ＩＮＶＩＴＥ」メッセージのＦｒｏｍヘッダ及びＴｏヘッダにＵＲＩが記述される例について説明している。しかし、これに限定されず、これらに電話番号そのものを記述するようにしてもよい。この場合には、その電話番号を着信対象番号として抽出することで、ＦＲＯＭ２０５内のテーブルを参照して着信対象番号を取得する処理を省略することができる。
【０１１０】
さらに、本実施の形態においては、着信側のＩＰ電話１０２がｈｔｔｐプロトコルに従ってＷｅｂサーバ１０５から留守電制御情報を取得する場合について説明している。しかし、留守電制御情報を取得する手法としては、ｈｔｔｐプロトコルに従ってＷｅｂサーバ１０５から取得する場合に限定されない。例えば、ＬＤＡＰ（Lightweight Directory Access Protocol）プロトコルやＦＴＰ（File Transfer Protocol）プロトコルを用いて別途用意したデータベースサーバから着信音情報を取得するようにしてもよい。この場合にも、本実施の形態と同様の効果を得ることが可能である。
【０１１１】
さらに、本実施の形態においては、着信側のＩＰ電話１０２の使用環境に応じて設定された留守電制御情報によって留守録機能やメール転送機能を制御する場合について示している。しかし、留守録機能やメール転送機能を制御する手法としてはこれに限定されず、発信側のＩＰ電話１０１の情報を考慮して制御を行うことも可能である。例えば、特定の発信者からの電話においてはメール転送機能を使って伝言メッセージを転送し、それ以外の発信者からの電話においては留守録機能のみを使って伝言メッセージを録音するように制御することが可能である。
【０１１２】
ところで、以上においては、着信側のＩＰ電話１０２がＷｅｂサーバ１０５から留守電制御情報を取得する場合について説明している。しかし、予め着信側のＩＰ電話１０２に、各電話番号に対応する留守電制御情報を登録しておくようにしても、本実施の形態と同様の効果を得ることが可能である。以下、このような構成を着信側のＩＰ電話で採用した場合の実施の形態について説明する。
【０１１３】
図１２は、本実施の形態の変形例に係るＩＰ電話１０２の構成を示すブロック図である。
【０１１４】
同図に示すＩＰ電話１０２は、ＦＲＯＭ２０５の代わりに、ＩＰ電話１０２に割り当てられた電話番号に対応する留守電制御情報を登録するテーブル（以下、「留守電制御情報テーブル」という）を有する点において、図２に示すＩＰ電話１０２と相違する。なお、ＦＲＯＭ２０５に格納されていたアドレス帳データや留守録機能において録音された伝言メッセージは、留守電制御情報テーブルに登録されるものとする。また、図１２に示すＩＰ電話１０２は、ＩＰ電話制御部がＷｅｂサーバ１０５に関連する制御を行う機能を有しない点及び留守電制御情報テーブル内の留守電制御情報に応じて留守番電話機能を制御する機能を有する点で図２に示すＩＰ電話１０２と相違する。なお、図１２において、図２と同一の符号を付した構成については同様の機能を有するものとし、その説明を省略する。
【０１１５】
ＩＰ電話制御部１２０１は、Ｗｅｂサーバ１０５へのアクセス制御及びＷｅｂサーバ１０５が提供するＨＴＭＬ文書の閲覧制御を有しない点を除き、図２に示すＩＰ電話制御部２０１と同様の機能を有する。
【０１１６】
また、ＩＰ電話制御部１２０１は、ＩＰ網１０６を介して発信側のＩＰ電話１０１から特定されたＵＲＩに対応する電話番号を判断し、当該電話番号に応じて留守番電話機能を制御する機能を有する。具体的には、ＩＰ電話制御部１２０１は、発信側のＩＰ電話１０１から特定されたＵＲＩに応じて留守電制御情報テーブル１２０２に登録された電話番号を検索し、その電話番号に対応する留守電制御情報に応じて留守番電話機能を制御する。
【０１１７】
図１３は、留守電制御情報テーブル１２０２に登録されるデータの一例を示す図である。同図においては、ＩＰ電話１０２に２つの電話番号が割り当てられた場合の一例について示している。
【０１１８】
留守電制御情報テーブル１２０２には、ＩＰ電話１０２に割り当てられた各電話番号に対応づけてＵＲＩ、ユーザ名、留守録機能のＯＮ／ＯＦＦ情報、メール転送機能のＯＮ／ＯＦＦ情報及び転送先アドレスが登録されている。同図においては、電話番号「０５０１２３４１１１１」に対応づけてＵＲＩ「ｔａｒｏ＠ｔｏｋｙｏ．ｓｉｐ．ｊｐ」、ユーザ名「ｔａｒｏ」、留守録機能「ＯＮ」、メール転送機能「ＯＮ」及び転送先アドレス「ｔａｒｏ＠ｐｃｌ．ｅｘａｍｐｌｅ．ｃｏｍ」が登録されている。また、電話番号「０５０１２３４２２２２」に対応づけてＵＲＩ「ｈａｎａｋｏ＠ｔｏｋｙｏ．ｓｉｐ．ｊｐ」、ユーザ名「ｈａｎａｋｏ」、留守録機能「ＯＦＦ」、メール転送機能「ＯＦＦ」及び転送先アドレス「ｈａｎａｋｏ＠ｐｃｌ．ｅｘａｍｐｌｅ．ｃｏｍ」が登録されている。
【０１１９】
図１４は、本実施の形態の変形例に係るＥＮＵＭサーバ１０３のＤＢ５０３に登録されたＮＡＰＴＲレコードの一例を示す図である。同図においては、電話番号「０５０１２３４１１１１」及び「０５０１２３４２２２２」から得られるドメイン名に対応するＮＡＰＴＲレコードが登録された場合について示している。
【０１２０】
同図においては、電話番号「０５０１２３４１１１１」から得られるドメイン名「１．１．１．１．４．３．２．１．０．５．１．８．ｅ１６４．ａｒｐａ」に対してＵＲＩ「ｔａｒｏ＠ｔｏｋｙｏ．ｓｉｐ．ｊｐ」が対応付けられている。また、電話番号「０５０１２３４２２２２」から得られるドメイン名「２．２．２．２．４．３．２．１．０．５．１．８．ｅ１６４．ａｒｐａ」に対してＵＲＩ「ｈａｎａｋｏ＠ｔｏｋｙｏ．ｓｉｐ．ｊｐ」が対応付けられている。
【０１２１】
次に、本実施の形態の変形例に係るＩＰ電話システムにおいて、ＩＰ電話１０１がＩＰ電話１０２に対して発呼する場合の動作について、図１５に示すシーケンス図を用いて説明する。図１５において、図９と同一の処理については同一の符号を付し、その説明を省略する。
【０１２２】
なお、かかる動作を説明する前提として、ＥＮＵＭサーバ１０３のＤＢ５０３には図１４に示すＮＡＰＴＲレコードが登録され、ＤＮＳサーバ１０４のＤＢには図７に示すデータが登録されているものとする。また、ＩＰ電話１０２には、電話番号として「０５０１２３４１１１１」及び「０５０１２３４２２２２」が割り当てられているものとする。
【０１２３】
本実施の形態の変形例に係るＩＰ電話システムにおいては、着信側のＩＰ電話１０２が図９に示す「ＩＮＶＩＴＥ」メッセージを受信した後、Ｗｅｂサーバ１０５から留守電制御情報を取得することなく留守電設定処理を行う点（ＳＴ１５０１）、並びに、図９に示すＳＴ９０６〜ＳＴ９０９の処理を行わない点において、本実施の形態に係るＩＰ電話システムと相違する。
【０１２４】
具体的には、図１５に示すように、ＳＴ９０５でＩＰ電話１０１から「ＩＮＶＩＴＥ」メッセージを受信すると、ＩＰ電話１０２は、そのＴｏヘッダに指定されたＵＲＩを認識する。なお、ここでは「ＩＮＶＩＴＥ」メッセージとして、図１０に示す「ＩＮＶＩＴＥ」メッセージが送出されているものとする。このため、ＩＰ電話１０２は、Ｔｏヘッダに指定されたＵＲＩ「ｔａｒｏ＠ｔｏｋｙｏ．ｓｉｐ．ｊｐ」を認識する。そして、認識したＵＲＩに対応する留守電制御情報を留守電制御情報テーブル１２０２から取得し、留守電設定処理を行う。
【０１２５】
図１６は、図１５に示すシーケンスにおける着信側のＩＰ電話１０２の動作を説明するためのフロー図である。図１６において、図１１と同一の処理については同一の符号を付し、その説明を省略する。
【０１２６】
本実施の形態の変形例に係るＩＰ電話システムの着信側のＩＰ電話１０２においては、ＳＴ１１０１で「ＩＮＶＩＴＥ」メッセージを受信すると、Ｔｏヘッダに着信対象として指定されたＵＲＩ（以下、「着信対象ＵＲＩ」という）を認識する（ＳＴ１６０１）。そして、ＩＰ電話１０２は、認識した着信対象ＵＲＩに対応する留守電制御情報を留守電制御情報テーブル１２０２から取得し、留守電設定処理を行う（ＳＴ１６０２）。その後、本実施の形態と同様に、ＳＴ１１０８〜ＳＴ１１１６を経て処理を終了する。
【０１２７】
このように本実施の形態の変形例に係るＩＰ電話システムによれば、着信側のＩＰ電話１０２に複数の電話番号を割り当てておき、発信側のＩＰ電話１０１から電話番号を指定して発信する。そして、この電話番号に対応するＮＡＰＴＲ応答を受信した後、「ＩＮＶＩＴＥ」メッセージを着信側のＩＰ電話１０２に送出する。着信側のＩＰ電話１０２においては、この「ＩＮＶＩＴＥ」メッセージから着信対象ＵＲＩを認識する。そして、着信対象ＵＲＩに対応する留守電制御情報を留守電制御情報テーブル１２０２から取得する。そして、留守電設定処理を行い、その留守電制御情報の内容に応じて発信者の伝言メッセージの録音、並びに、録音した伝言メッセージの転送を行う。これにより、着信側のＩＰ電話１０２において、発信側のＩＰ電話１０１で指定された電話番号に応じて発信者の伝言メッセージの録音等が行われる。このため、ＩＰ電話１０２のユーザが電話を取る前に発信者の伝言メッセージが録音されるので、不在のユーザのために発信者の伝言メッセージや連絡先をメモ用紙に記録する作業を省略することができる。
【０１２８】
なお、図１６に示すフローにおいては、ＳＴ１６０１で「ＩＮＶＩＴＥ」メッセージに記述された着信対象ＵＲＩを認識し、ＳＴ１６０２で着信対象ＵＲＩに対応する留守電制御情報を留守電制御情報テーブル１２０２から取得して留守電設定処理を行っている。しかし、「ＩＮＶＩＴＥ」メッセージの記述に基づいて留守電設定処理を行う場合の制御についてはこれに限定されない。例えば、「ＩＮＶＩＴＥ」メッセージに記述された着信対象ＵＲＩの「＠」マーク前に指定されたユーザ名を認識し、そのユーザ名に対応する留守電制御情報を留守電制御情報テーブル１２０２から取得して留守電設定処理を行うようにしてもよい。このように変更した場合においても、本実施の形態と同様の効果を得ることが可能である。
【０１２９】
また、本実施の形態に係るＩＰ電話システムにおいて、音声とは人の話す声に限らず音一般、音声帯域に変調されたモデム信号、ＦＡＸ信号であっても構わない。また、電話機とはファクシミリ装置であっても構わない。
【０１３０】
さらに、本実施の形態に係るＩＰ電話システムにおいては、ＩＰ電話は、単体の装置として存在する場合について説明しているが、これに限定されない。すなわち、接続される通常の電話装置をＩＰ電話として機能させる機能を有する制御アダプタに、通常の電話装置を接続してＩＰ電話を構成してもよい。なお、通常の電話装置とは、ＩＰ網１０６を介して音声通話をする機能を有しない電話装置のことをいうものとする。
【０１３１】
さらに、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【０１３２】
本発明に係るＩＰ電話システム、ＩＰ電話装置及び伝言メッセージ録音方法によれば、宛先となるユーザが不在の場合に電話を取る前に発信者の伝言メッセージを録音することができ、ユーザにとって利便性に優れたＩＰ電話システムを提供できる点で有用である。
【図面の簡単な説明】
【０１３３】
【図１】本発明の一実施の形態に係るＩＰ電話システムが適用されるネットワークの構成を示す図
【図２】上記実施の形態に係るＩＰ電話システムを構成するＩＰ電話の構成を示すブロック図
【図３】上記実施の形態に係るＩＰ電話のＦＲＯＭに格納されるテーブルの一例を示す図
【図４】上記実施の形態に係るＩＰ電話の外観を示す正面図
【図５】上記実施の形態に係るＥＮＵＭサーバの代表的な構成を示すブロック図
【図６】上記実施の形態に係るＥＮＵＭサーバのＤＢに登録されたＮＡＰＴＲレコードの一例を示す図
【図７】上記実施の形態に係るＤＮＳサーバのＤＢに登録されたデータの一例を示す図
【図８】上記実施の形態に係るＷｅｂサーバのＤＢに登録されたデータの一例を示す図
【図９】上記実施の形態に係るＩＰ電話システムにおいて、発信側のＩＰ電話が着信側のＩＰ電話に対して発呼する場合の動作について説明するためのシーケンス図
【図１０】上記実施の形態に係るＩＰ電話システムにおいて、発信側のＩＰ電話から着信側のＩＰ電話に送出される「ＩＮＶＩＴＥ」メッセージの内容の一例について示す図
【図１１】図９に示すシーケンスにおける着信側のＩＰ電話の動作を説明するためのフロー図
【図１２】上記実施の形態の変形例に係るＩＰ電話システムのＩＰ電話の構成を示すブロック図
【図１３】上記実施の形態の変形例に係るＩＰ電話の留守電制御情報テーブルに登録されるデータの一例を示す図
【図１４】上記実施の形態の変形例に係るＥＮＵＭサーバのＤＢに登録されたＮＡＰＴＲレコードの一例を示す図
【図１５】上記実施の形態の変形例に係るＩＰ電話システムにおいて、発信側のＩＰ電話が着信側のＩＰ電話に対して発呼する場合の動作について説明するためのシーケンス図
【図１６】図１５に示すシーケンスにおける着信側のＩＰ電話の動作を説明するためのフロー図
【符号の説明】
【０１３４】
１０１，１０２  ＩＰ電話装置（ＩＰ電話）
１０３  ＥＮＵＭサーバ
１０４  ＤＮＳサーバ
１０５  Ｗｅｂサーバ
１０６  ＩＰ網
２０１，１２０１  ＩＰ電話制御部
２０６  音声入出力部
５０３  データベース（ＤＢ）
１２０２  留守電制御情報テーブル
【図１】
2006050270.tif 000003
【図２】
2006050270.tif 000004
【図３】
2006050270.tif 000005
【図４】
2006050270.tif 000006
【図５】
2006050270.tif 000007
【図６】
2006050270.tif 000008
【図７】
2006050270.tif 000009
【図８】
2006050270.tif 000010
【図９】
2006050270.tif 000011
【図１０】
2006050270.tif 000012
【図１１】
2006050270.tif 000013
【図１２】
2006050270.tif 000014
【図１３】
2006050270.tif 000015
【図１４】
2006050270.tif 000016
【図１５】
2006050270.tif 000017
【図１６】
2006050270.tif 000018